(57)【要約】【課題】床開口部を効果的にかつ迅速に養生することができる養生シートを提供する。【解決手段】床１０に形成される多角形状の床開口部１１の内周面１２を養生するための養生シート１であって、床開口部１１と略同形状のシート開口２１が中央部に形成されるシート本体２と、シート開口２１の周囲に配設される複数のシート片３と、を備えており、各シート片３は、その一側辺がシート開口２１の各辺に沿って取り付けられており、シート開口２１を床開口部１１上に配置した際に、床開口部１１内に垂れ下がり床開口部１１の内周面１２を覆うことを特徴とする養生シート１。【選択図】図４
2012215029.tif 000002
【特許請求の範囲】
【請求項１】
床に形成される多角形状の床開口部の内周面を養生するための養生シートであって、
前記床開口部と略同形状のシート開口が中央部に形成されるシート本体と、
前記シート開口の周囲に配設される複数のシート片と、を備えており、
前記各シート片は、その一側辺が前記シート開口の各辺に沿って取り付けられており、前記シート開口を前記床開口部上に配置した際に、前記床開口部内に垂れ下がり前記床開口部の内周面を覆うことを特徴とする養生シート。
【請求項２】
前記シート片の前記一側辺の少なくとも一方の端部に接続する他の側辺に設けられ、前記シート片の外方に突出する突出片を更に備えており、
前記突出片は、前記シート開口を前記床開口部上に配置した際に、前記床開口部のコーナー部を覆うことを特徴とする請求項１に記載の養生シート。
【請求項３】
前記突出片は、前記シート片の前記一側辺の両端に接続する各側辺にそれぞれ設けられている請求項２に記載の養生シート。
【請求項４】
前記各シート片と、前記各シート片に隣接する他のシート片に設けられる前記突出片とを係着する係着部材を更に備えることを特徴とする請求項２又は３に記載の養生シート。
【請求項５】
前記シート本体及び前記各シート片は、可撓性部材により形成されていることを特徴とする請求項１から４のいずれかに記載の養生シート。
【請求項６】
前記シート開口は、平面視矩形状に形成されており、
前記シート開口の一対の対向辺に配設される各シート片は、前記シート本体の一方面側に取り付けられており、
前記シート開口の他の一対の対向辺に配設される各シート片は、前記シート本体の他方面側に取り付けられていることを特徴とする請求項１から５のいずれかに記載の養生シート。
【請求項７】
前記シート開口を塞ぐ閉塞体を更に備えることを特徴とする請求項１から６のいずれかに記載の養生シート。
【請求項８】
前記閉塞体は、少なくとも中央部が凸状となるドーム状部材である請求項１から７のいずれかに記載の養生シート。
【発明の詳細な説明】
【技術分野】
【０００１】
本発明は、養生シートに関し、特に建物物の床に形成される床開口部の内周面を養生するための養生シートに関する。
【背景技術】
【０００２】
従来、住宅等の建築物の床下部分に発生したシロアリ等の害虫駆除を行う場合や、建築物の床下部分に湿気対策等の修理・修繕工事を行う場合、或いは、床下部分でのガスや水道等の配管工事・電気配線工事等を行う場合、建築物の床下部分に作業者が潜り込んで所定の作業が行われる。床下部分への進入方法としては、例えば、建築物床部に設置される床下収納庫を取り外し、これにより形成される床開口部から床下部分に進入する方法がある。
【０００３】
ここで、床下収納庫とは、収納スペースを確保するために床下に設置されるものであり、通常、床下部分に配置される箱体と、床面と面一となるように構成される蓋とを備える構造を有している。箱体は、床に形成された床開口部の内周面（開口縁）に取り付けられるレール状の枠材や支持アーム、ビーム材等の支持部材によって支持されるように構成されている。
【０００４】
このような方法で床下部分に潜り込んで所定の作業を行う場合、作業開始段階で床下部分に作業用の装置・工具等を搬入する際、或いは、作業終了段階で床上部分（居住空間エリア）に装置・工具等を搬出する際に、装置・工具等が床開口部に当たってしまい、床開口部や開口縁に取り付けられる支持部材に損傷が発生するおそれがある。床開口部や支持部材に損傷が発生してしまうと、床下収納庫を床開口部に再度設置することが困難となり、床開口部や支持部材の修理が必要となってしまう。
【０００５】
このような事態が発生することを予め防止するため、床下収納庫を取り外した段階で、養生テープやウエス等で床開口部を養生し、装置・工具等が床開口部や支持部材等に当たっても、床開口部等に損傷が発生しないようにすることが行われている。
【発明の概要】
【発明が解決しようとする課題】
【０００６】
しかしながら、養生テープやウエス等で床開口部等を養生することは手間がかかり、作業効率が悪いという問題があった。また、養生テープを用いて床開口部等を養生した場合、作業終了段階で養生テープを取り外さなければならないが、養生テープの粘着面の作用により、床面や支持部材の塗装がはがれてしまうといった問題もあった。
【０００７】
そこで、本発明は、床開口部を効果的にかつ迅速に養生することができる養生シートを提供することを目的とする。
【課題を解決するための手段】
【０００８】
本発明の上記目的は、床に形成される多角形状の床開口部の内周面を養生するための養生シートであって、前記床開口部と略同形状のシート開口が中央部に形成されるシート本体と、前記シート開口の周囲に配設される複数のシート片と、を備えており、前記各シート片は、その一側辺が前記シート開口の各辺に沿って取り付けられており、前記シート開口を前記床開口部上に配置した際に、前記床開口部内に垂れ下がり前記床開口部の内周面を覆うことを特徴とする養生シートにより達成される。
【０００９】
このような養生シートによれば、建物の床に形成される床開口部から床下に進入して、シロアリ駆除や建築物の基礎部分の修繕工事等の作業を行う際に、床開口部の内周面を効果的に養生することが可能となる。具体的に説明すると、シロアリ駆除や床下基礎部分の修繕工事等を行う場合、さまざまな装置や道具を床開口部から床下に運び込む必要があるが、その際、運び込まれる装置や道具が、床開口部の内周面に当たったとしても、養生シートにより床開口部が保護されているため、傷や破損等の損傷が発生することを効果的に防止することが可能となる。また、床下での各種作業においては、砂埃が発生し、この砂埃の一部が床開口部周辺にも浮遊することになるが、床開口部は養生シートにより保護されているため、発生した砂埃が床開口部に形成される溝等に堆積することを効果的に防止することができる。
【００１０】
また、シロアリ駆除や床下部分の建築物修繕工事等を開始する際、床開口部にシート開口を重ねるようにして養生シートを床面に載置するという簡単な作業で養生シートを設置することができ、また、各種作業が終了した際には、養生シートを折り畳んだり、ロール状に丸めたりすることにより簡単に撤去することが可能となる。床下での各種作業を効率よく、かつ、迅速に行うことが可能となる。
【００１１】
また、この養生シートにおいて、前記シート片の前記一側辺の少なくとも一方の端部に接続する他の側辺に設けられ、前記シート片の外方に突出する突出片を更に備えており、前記突出片は、前記シート開口を前記床開口部上に配置した際に、前記床開口部のコーナー部を覆うことが好ましい。また、前記突出片は、前記シート片の前記一側辺の両端に接続する各側辺にそれぞれ設けられていることが好ましい。
【００１２】
このような突出片を備えることにより、養生シートを床開口部にセットした場合に、突出片が床開口部のコーナー部を確実に覆うため、例えば、床下に運び込まれる装置や道具が当該コーナー部に当たったとしても、コーナー部に損傷が発生することを効果的に防止することができる。また、床開口部に形成される溝のコーナー部に舞い上がった砂埃が堆積することを効果的に防止することも可能となる。
【００１３】
また、前記各シート片と、前記各シート片に隣接する他のシート片に設けられる前記突出片とを係着する係着部材を更に備えることが好ましい。
【００１４】
このような係着部材を備えることにより、床開口部にセットされた養生シートにおいて、床開口部のコーナー部を保護するために配置される突出片が位置づれすることを効果的に防止し、床開口部のコーナー部をより一層保護することが可能となる。
【００１５】
また、前記シート本体及び前記各シート片は、可撓性部材により形成されていることが好ましい。このような構成によれば、養生シートを折り畳んだり、ロール状に丸めたりすることにより簡単にコンパクト化することが可能になり、持ち運び性に優れる養生シートを得ることができる。
【００１６】
また、前記シート開口は、平面視矩形状に形成されており、前記シート開口の一対の対向辺に配設される各シート片は、前記シート本体の一方面側に取り付けられており、前記シート開口の他の一対の対向辺に配設される各シート片は、前記シート本体の他方面側に取り付けられていることが好ましい。
【００１７】
また、前記シート開口を塞ぐ閉塞体を更に備えることが好ましい。このような閉塞体を備えることにより、例えば、シロアリ駆除作業において発生するミスト状の薬剤がシート開口を介して床下空間から床上の居住空間に飛散することを効果的に防止することが可能となる。また、床下での建築物修繕工事等において発生する砂埃が床上の居住空間に舞い上がることを効果的に防止することが可能となる。
【００１８】
また、前記閉塞体は、少なくとも中央部が凸状となるドーム状部材であることが好ましい。このようなドーム状の閉塞体を備えることにより、この閉塞体が、床開口部の位置を示す目印としての役割を発揮するため、床開口部に人が誤って落下することを効果的に防止することができる。
【発明の効果】
【００１９】
本発明によれば、床開口部を効果的にかつ迅速に養生することができる養生シートを提供することができる。
【図面の簡単な説明】
【００２０】
【図１】本発明の一実施形態に係る養生シートの平面図である。
【図２】図１のＡ−Ａ断面図である。
【図３】図１に示す養生シートの要部拡大図である。
【図４】図１に示す養生シートの使用時における概略構成断面図である。
【図５】図１に示す養生シートの使用時における要部拡大斜視図である。
【図６】図１に示す養生シートの変形例を示す概略構成断面図である。
【図７】図１に示す養生シートの他の変形例の使用時における要部拡大斜視図である。
【発明を実施するための形態】
【００２１】
以下、本発明の実施形態にかかる養生シートについて添付図面を参照して説明する。図１は、本発明の一実施形態に係る養生シート１の平面図であり、図２は、図１のＡ−Ａ断面図である。また、図３は、図１の要部拡大図であり、図４は、養生シート使用時における概略構成断面図である。更に、図５は、養生シート使用時における要部拡大斜視図である。なお、各図は、構成の理解を容易とするために、実寸比ではなく部分的に拡大縮小して示している。
【００２２】
本発明の一実施形態に係る養生シート１は、例えば建築物の床１０に形成される床開口部１１を養生するためのシートであり、図１〜図５に示すように、シート本体２と、複数のシート片３とを備えている。
【００２３】
シート本体２は、平面視矩形状の形状を有しており、床に形成される床開口部１１と略同形状のシート開口２１が略中央部に形成されている。一般的に、床開口部１１は平面視矩形状に形成されている場合が多いため、上記シート開口２１も平面視矩形状となるように形成されているが、例えば、床開口部１１が六角形或いは八角形等の多角形状に形成されている場合には、その床開口部１１の開口形状と略一致するようにシート開口２１を形成すればよい。なお、床開口部１１を効果的に養生するという観点から、シート開口２１の開口面積は、床開口部１１の開口面積と同一、或いは、僅かに小さくなるように構成することが好ましい。
【００２４】
このシート本体２は、可撓性部材により形成されており、例えば、合成樹脂シート、合成樹脂積層シート、ポリアミド繊維・ポリエステル繊維等の合成繊維や木綿・麻等の天然繊維から製織された布地にポリウレタン等の合成樹脂をコーティングし又は含浸させたシート材、あるいは前記布地と合成樹脂シートとを積層した積層シート材等から形成されている。特に、ポリアミド系、ポリエステル系などのマルチフィラメントのメッシュ状織布を基材として、その表裏面にカレンダー法やラミネート法により柔軟なポリ塩化ビニルやエチレン−酢酸ビニル共重合体などの合成樹脂やゴム等を被覆して形成されたいわゆるターポリンにより構成することが好ましい。また、ターポリンよりもやや強度は落ちるが、低廉で安全性が高く、生産性も良好で、取扱性に優れるものとして、合成樹脂フィルムを細かく裁断して延伸処理を施したフラットヤーンよりなる織布に、低密度ポリエチレン、中密度ポリエチレン、超低密度ポリエチレン、直鎖状低密度ポリエチレンなどのエチレン系合成樹脂で被覆層を形成したポリエチレンラミネートシートがあり、このようなポリエチレンラミネートシートにより構成することが好ましい。
【００２５】
複数のシート片３は、それぞれシート開口２１の周囲にそれぞれ配設されている。各シート片３は、平面視矩形状に形成されている。このシート片３は、その一側辺（取付辺）３ａがシート開口２１の各辺に沿ってシート開口縁に縫い付けられる等して取り付けられている。シート本体２に取り付けられた各シート片３は、取付箇所（取付辺３ａ）を軸として回動可能となり、図４に示すように、シート開口２１を床開口部１１上に配置するようにして養生シート１を設置した際に、各シート片３が床開口部１１内に垂れ下がり床開口部１１の内周面１２を覆うように構成されている。なお、シート片３は、上述のシート本体２と同一の素材から形成されており、シート開口縁に取り付けられる一側辺３ａの長さは、当該シート片３が取り付けられるシート開口２１の一辺の長さと略同一寸法に構成されている。
【００２６】
また、本実施形態に係る養生シート１においては、シート本体２におけるシート開口２１の一対の対向辺２１ａ，２１ｃに配設される各シート片３が、シート本体２の一方面側に取り付けられるように構成し、シート開口２１の他の一対の対向辺２１ｂ，２１ｄに配設される各シート片３が、シート本体２の他方面側に取り付けられるように構成している。
【００２７】
また、本実施形態に係る養生シート１は、シート片３から外方に向けて突出する突出片４を備えている。この突出片４は、シート開口縁に取り付けられるシート片３の一側辺（取付辺）３ａの両端部に接続する他の両側辺３ｂ，３ｄにそれぞれ設けられており、各側辺３ｂ，３ｄに対して略垂直な方向に突出するように構成されている。また、突出片４は、シート片３の取付辺３ａの両端部近傍位置に設けられており、図５に示すように、シート開口２１を床開口部１１上に配置するようにして養生シート１を設置した際に、上述の各シート片３が床開口部１１内に垂れ下がり床開口部１１の内周面１２を覆うと共に、各突出片４が床開口部１１のコーナー部１３を覆うように構成されている。なお、突出片４も、上述のシート本体２やシート片３と同一の素材から形成されている。
【００２８】
次いで、上記のような構成を有する養生シート１の使用方法について説明する。まず、床下部分における害虫駆除や修理・修繕、或いは、ガスや水道等の配管工事等を開始する際に、建築物の床１０に設置されている床下収納庫を床から取り外したり、床下進入用扉等を取り外したりして、床開口部１１を形成する。その後、養生シート１を床上にひろげて、シート本体２に形成されるシート開口２１が床開口部１１上に配置されるようにして養生シート１を設置すると共に、シート開口２１の開口縁に取り付けられる各シート片３が床開口部１１内に垂れ下がるようにセットする。これにより養生シート１の設置が完了し、シート本体２及び床開口部１１内に垂れ下がったシート片３により、床開口部１１周辺が保護・養生されることになる。なお、シート片３に設けられる突出片４は、床開口部１１のコーナー部１３を覆うようにして配置されるため、当該コーナー部１３を効果的に保護することになる。
【００２９】
本実施形態に係る養生シート１は、シート開口２１を床開口部１１上に配置した際に、床開口部１１内に垂れ下がり床開口部１１の内周面１２を覆うシート片３を備えているため、床開口部１１の内周面１２を効果的に養生することが可能となる。シロアリ駆除や床下基礎部分の修繕工事等を行う場合、さまざまな装置や道具を床開口部１１から床下に運び込む必要があるが、その際、運び込まれる装置や道具が、床開口部１１の内周面１２に当たったとしても、養生シート１により床開口部１１が保護されているため、傷や破損等の損傷が発生することを効果的に防止することが可能となる。また、床下での各種作業においては、砂埃が発生し、この砂埃の一部が床開口部１１周辺にも浮遊することになるが、床開口部１１は養生シート１により保護されているため、発生した砂埃が床開口部１１に取り付けられるレール状の枠材や支持アーム、ビーム材等の支持部材に堆積することを効果的に防止することができる。
【００３０】
また、シロアリ駆除や床下部分の建築物修繕工事等を開始する際、床開口部１１にシート開口２１を重ねるようにして養生シート１を床面に載置するという簡単な作業で養生シート１を設置することができ、床下での各種作業を効率よく、かつ、迅速に行うことが可能となる。
【００３１】
また、この養生シート１は、上述のような突出片４を備えているため、養生シート１を床開口部１１にセットした場合に、突出片４が床開口部１１のコーナー部１３を確実に覆うため、例えば、床下に運び込まれる装置や道具が当該コーナー部１３に当たったとしても、コーナー部１３に損傷が発生することを効果的に防止することができる。また、コーナー部１３に砂埃が堆積することを効果的に防止することも可能となる。
【００３２】
特に、突出片４をシート片３の一側辺３ａの両端に接続する各辺３ｂ，３ｄにそれぞれ設ける構成を採用した場合、床開口部１１のコーナー部１３分をより一層確実に養生することが可能となる。
【００３３】
また、シート本体２及び各シート片３は、可撓性部材により形成されているため、養生シート１を折り畳んだり、ロール状に丸めたりすることにより簡単にコンパクト化することが可能になり、持ち運び性に優れる養生シート１を得ることができる。
【００３４】
また、上記実施形態においては、シート開口２１は、平面視矩形状に形成されており、シート開口２１の一対の対向辺２１ａ，２１ｃに配設される各シート片３は、シート本体２の一方面側２ａに取り付けられており、シート開口２１の他の一対の対向辺２１ｂ，２１ｄに配設される各シート片３は、シート本体２の他方面側２ｂに取り付けられている。このような構成を採用することにより、養生シート１を折り畳んだり、ロール状化してコンパクトな形態とする際に、異なるシート片３に設けられ互いに隣接する突出片４同士が直接重なり合うことを防止することができ、突出片４が折れ曲がったり歪んだりした状態で折り畳まれること、或いはロール状化されることを防止することができる。
【００３５】
以上、本発明に係る養生シート１の実施形態について説明したが、具体的構成は、上記実施形態に限定されない。例えば、上記実施形態において、シート開口２１を塞ぐ閉塞体を更に備えるように構成してもよい。このような閉塞体を備えることにより、例えば、シロアリ駆除作業において発生するミスト状の薬剤がシート開口２１を介して床上の居住空間に飛散することを効果的に防止することが可能となる。また、床下での建築物修繕工事等において発生する砂埃が床上の居住空間に舞い上がることを効果的に防止することが可能となる。
【００３６】
閉塞体は、養生シート１に形成されるシート開口２１を塞ぐ機能を有するものであれば、特にその形状や材質等は限定されず、例えば、シート本体２と同一の素材により形成される可撓性のあるシート状部材や、金属材料や合成樹脂材料等により形成される剛性のあるプレート状部材であってもよい。
【００３７】
また、図６の概略構成断面図に示すように、閉塞体が、少なくとも中央部が凸状となるドーム状部材６であってもよい。このドーム状部材６は、例えば、複数の孔が形成される頂部部材６１と、この頂部部材６１の各孔に上端を連結されて下方に放射状に伸びる複数の縦骨６２と、縦骨６２の外周に張られた幕体６３とを備える構成を有している。放射状に伸びる複数の縦骨６２は、幕体６３支持のための構造体としての機能を有するもので、軽量化のためにグラスファイバーの中空パイプなどにより構成されているのが望ましい。また、幕体６３は、上述したシート本体２等と同一の素材により構成されることが望ましい。このように、閉塞体をドーム状部材６により構成する場合、このドーム状の閉塞体が、床開口部１１の位置を示す目印としての役割を発揮するため、床開口部１１に人が誤って落下することを効果的に防止することができる。なお、ドーム状の閉塞体の幕体６３における外表面に、例えば、「注意！！  床開口部１１あり！」といった文言を印刷したり、当該文言を印刷した標識を設置可能に構成することが好ましい。
【００３８】
また、上記実施形態において、図７に示すように、各シート片３と、各シート片３に隣接する他のシート片３に設けられる突出片４とを係着する係着部材７を更に備えるように構成してもよい。このような係着部材７を備えることにより、床開口部１１に養生シート１をセットする際に、係着部材７によって一のシート片３と、他のシート片３に設けられる突出片４とを固定して、突出片４が、床開口部１１のコーナー部１３から位置づれすることを効果的に防止することができる。これにより、床開口部１１のコーナー部１３をより一層保護することが可能となる。なお、係着部材７としては、シート片３および突出片４のそれぞれに設置される面ファスナーやボタン等を例示することができる。
【００３９】
また、上記実施形態においては、図１の平面図及び図２の断面図に示すように、シート本体２におけるシート開口２１の一対の対向辺２１ａ，２１ｃに配設される各シート片３が、シート本体２の一方面側２ａに取り付けられるように構成し、シート開口２１の他の一対の対向辺２１ｂ，２１ｄに配設される各シート片３が、シート本体２の他方面側２ｂに取り付けられるように構成しているが、このような構成に特に限定されず、例えば、全てのシート片３をシート本体２の一方面側２ａに取り付けるように構成してもよい。
【００４０】
また、上記実施形態においては、シート開口縁に取り付けられるシート片３の一側辺（取付辺）３ａの両端部に接続する他の両側辺３ｂ，３ｄのそれぞれに、突出片４を設ける構成を採用しているが、このような構成に特に限定されず、例えば、シート片３の一側辺（取付辺）３ａの一方の端部に接続する他の側辺にのみ突出片４を設ける構成、つまり、図３に示される両側辺３ｂ，３ｄのそれぞれに設けられる突出片４のうち一方を省略する構成を採用することもできる。
【符号の説明】
【００４１】
１  養生シート
２  シート本体
２１  シート開口
２１ａ、２１ｂ、２１ｃ、２１ｄ  シート開口の各辺
３  シート片
３ａ、３ｂ、３ｃ、３ｄ  シート片の各辺
４  突出片
５  閉塞体
６  ドーム状部材
７  係着部材
１０  床
１１  床開口部
【図１】
2012215029.tif 000003
【図２】
2012215029.tif 000004
【図３】
2012215029.tif 000005
【図４】
2012215029.tif 000006
【図５】
2012215029.tif 000007
【図６】
2012215029.tif 000008
【図７】
2012215029.tif 000009